(57)【要約】【課題】  開封が容易で内容物を損壊することがない封筒を提供することを課題とする。【解決手段】表面と、表面の端縁部に形成された開口側辺と、複数の開口側辺とを具えてなる多辺形で中空の袋体と、袋体に接続して設けられ、開口側辺を閉じるために供する蓋部とを含んでなり、該表面には切断線を有し、該切断線の両端が同一、或いは異なる側辺に接続し、該切断線を裂いて開くと、表面の切断線に囲まれた部分が裂いて開かれる。【選択図】  図２
0003156950.tif 000002
【実用新案登録請求の範囲】
【請求項１】
表面と、表面の端縁部に形成された開口側辺と、複数の開口側辺とを具えてなる多辺形で中空の袋体と、
該袋体に接続して設けられ、開口側辺を閉じるために供する蓋部とを含んでなり、該表面には切断線を有し、該切断線の両端が同一、或いは異なる側辺に接続し、該切断線を裂いて開くと、表面の切断線に囲まれた部分が裂いて開かれることを特徴とする封筒。
【請求項２】
前記切断線は、弧状を呈することを特徴とする請求項１に記載の封筒。
【請求項３】
前記切断線は、折り線であることを特徴とする請求項１に記載の封筒。
【請求項４】
前記袋体は、窓を有することを特徴とする請求項１から３に記載の封筒。
【考案の詳細な説明】
【技術分野】
【０００１】
この考案は、封筒であって、特に郵送、配達が必要な手紙や書類などを内部に入れるための封筒に関する。
【背景技術】
【０００２】
図１は従来の封筒１を示した説明図である。
【０００３】
該封筒１は、表面１１に一本の切断線１２が形成される。
【０００４】
該切断線１２は、ファスナー模様の切断テープ１３に形成される。該切断テープ１３は、頭部１３１を具えてなり、受信者が切断テープ１３を封筒１から外して封筒１を開封するために供する。
【０００５】
二本の補助切断線１４は、切断線１２の両端から封筒１の側辺に延伸する。受信者は切断テープ１３を裂いた後、再び補助切断線１４に沿って封筒１を開封すると比較的大きな開口を形成することができる。
【０００６】
よって、受信者が封筒１内から手紙などの内容物を取り出すことができて便利である。
【０００７】
しかしながら、受信者は、切断線１２及び補助切断線１４に従ってテープを剥がすという二段階に渡る動作をしなければ封筒１に比較的大きな開口を形成することができない。
【０００８】
このため、使用上理想的ではない。
【考案の開示】
【考案が解決しようとする課題】
【０００９】
この考案は、開封が容易で内容物を損壊することがない封筒を提供することを課題とする。
【課題を解決するための手段】
【００１０】
そこで、本考案者は従来の技術に見られる欠点に鑑みて鋭意研究を重ねた結果、表面と、表面の端縁部に形成された開口側辺と、複数の開口側辺とを具えてなる多辺形で中空の袋体と、
該袋体に接続して設けられ、開口側辺を閉じるために供する蓋部とを含んでなり、該表面には切断線を有し、該切断線の両端が同一、或いは異なる側辺に接続し、該切断線を裂いて開くと、表面の切断線に囲まれた部分が裂いて開かれる封筒の構造によって課題を解決できる点に着眼し、かかる知見に基づいて本考案を完成させた。
【００１１】
以下、この考案について具体的に説明する。
請求項１に記載の封筒は、表面と、表面の端縁部に形成された開口側辺と、複数の開口側辺とを具えてなる多辺形で中空の袋体と、
該袋体に接続して設けられ、開口側辺を閉じるために供する蓋部とを含んでなり、該表面には切断線を有し、該切断線の両端が同一、或いは異なる側辺に接続し、該切断線を裂いて開くと、表面の切断線に囲まれた部分が裂いて開かれる。
【００１２】
請求項２に記載の封筒は、請求項１における切断線が、弧状を呈して形成される。
【００１３】
請求項３に記載の封筒は、請求項１における切断線が、折り線に形成される。
【００１４】
請求項４に記載の封筒は、請求項１から３における袋体が、窓を設けてなる。
【考案の効果】
【００１５】
この考案による封筒は、内部の書類などを損壊することがなく、すばやく簡単に開封できるという効果を有する。
【考案を実施するための最良の形態】
【００１６】
この考案は、開封が容易で内容物を損壊することがない封筒であって、表面と、表面の端縁部に形成された開口側辺と、複数の開口側辺とを具えてなる多辺形で中空の袋体と、
該袋体に接続して設けられ、開口側辺を閉じるために供する蓋部とを含んでなり、該表面には切断線を有し、該切断線の両端が同一、或いは異なる側辺に接続し、該切断線を裂いて開くと、表面の切断線に囲まれた部分が裂いて開かれる構造からなる封筒の構造と特徴を詳述するために具体的な実施例を挙げ、図示を参照にして以下に説明する。
【実施例】
【００１７】
この考案の封筒は、手紙を入れる封筒に限らず、公文書用の封筒、公文書用の袋、洋形、或いは中華形、サイズの大きさなどいずれもこの考案を応用することができる。
【００１８】
図２、図３は、手紙用封筒の実施形態を示したものである。
【００１９】
図面によれば、封筒３は、多辺形で中空の袋体４と、蓋部５とを含んでなる。
【００２０】
該袋体４は、手紙などの書類を収納するために供し、二つの表面４１、４２と、二つの開口側辺４３、４４と、三つの側辺４５、４６、４７とを含んでなる。
【００２１】
該開口側辺４３と、三つの側辺４５、４６、４７は、表面４１の辺を形成する。
【００２２】
該開口側辺４４と、三つの側辺４５、４６、４７は、表面４２の辺を形成する。
【００２３】
該蓋部５は、袋体４に連接して設けられ、開口側辺４３、４４を閉じるために供する。
【００２４】
表面４１には窓４８が設けられ、受信者の住所、名前など封書に記載した文字の一部が窓４８を透して確認することができるため、使用者が住所などを確認するために便利である。
【００２５】
該表面４１には切断線６１が設けられる。該切断線６１は、両端と同一側にある側辺４５と接続して形成される。
【００２６】
よって、該切断線６１を裂いて開くと、表面４１の切断線６１に囲われた範囲が裂かれて開かれる。
【００２７】
表面４２にはもう一つの切断線６２が設けられ、且つ切断線６２の両端と同一側にある側辺４６とが接続して形成される。
【００２８】
よって、切断線６２が裂いて開かれると、表面４２の切断線６２に囲われた範囲が裂いて開かれる。
【００２９】
二本の切断線６１、６２はいずれも弧状で、両者の幅が異なって形成される。
【００３０】
該切断線６１、６２は、封筒３に設ける書類が折り畳まれ、長い短冊状に設けられているため、一般の書類が折り畳まれた後の幅と長さに会わせて形成される。
【００３１】
よって、受信者がどちらか一方の切断線を裂いて開くと、切断線に囲まれた範囲の表面が裂いて開かれ、該袋体４に適宜なサイズの開口が形成される。
【００３２】
受信者は、書類などを損壊することなく該開口から封筒３内の書類などを取り出すことができる。
【００３３】
図４に開示するように、この考案の封筒３は一枚の紙から形成される。
【００３４】
紙を切断し、四本の折り畳み線で紙を区切った中心部７１と、三つの側部７２、７３、７４と、蓋部５とを形成する。
【００３５】
該蓋部５と、三本の側部７２、７３、７４とはそれぞれ、中心部７１と隣接し、折り畳み線で分けられる。
【００３６】
該中心部７１上には窓４８と、切断線６１とが設けられる。
【００３７】
該側部７２と中心部７１との隣接した側部にはもう一本の切断線６２が形成される。
【００３８】
三つの側部７２、７３、７４を該折り畳み線に沿って中心部７１の側に折り畳むと、側部７２が側部７３、７４の上方に折り畳まれる。
【００３９】
粘着剤で側部７３、７４と側部７２とが折り重なる部分を粘着すると、二つの表面４１、４２を具えた袋体４が形成される。
【００４０】
もう一方の折り畳み線に沿って蓋部５を表面４２の上方に折り畳むと、封筒３が形成される。
【００４１】
封筒３の製造方法は、従来の封筒と略同様で、該封筒３の異なる部分は表面４１、４２上にそれぞれ切断線６１、６２が押し圧成形されていることである。
【００４２】
該加工方法は簡単で、封筒を簡単に開く目的を達成することができる。
【００４３】
この考案の実施形態において切断線６１の両端は、同じ側の側辺４５に接続して形成される。該切断線６２の両端は同じ側の側辺４６に接続して形成される。
【００４４】
実際に形成する場合にはこの限りではなく、切断線の両端を異なる側辺に接続するように形成してもよい。
【００４５】
また、切断線は、二つの表面４１、４２の内の一方に設け、同一表面上に複数の切断線を設けてもよい。
【００４６】
この実施形態では、表面４１上に窓４８を設ける。実際には窓４８を具えていない封筒３でもよい。
【００４７】
図５は、この考案の封筒３の他の実施形態を示したものである。
【００４８】
全体の構造は上述の実施形態と略同様であるが、他の実施形態で異なる部分は、表面４２に設けられた切断線６２’が折り線であることである。
【００４９】
実際には、切断線をその他の多辺形に形成することもでき、この実施形態に開示するだけには限らない。
【００５０】
前述のように、袋体の表面に切断線が設けられ、切断線の両端と袋体の同一、或いは異なる側の側辺に接続して形成されているため、受信者が切断線を裂いて開くと、表面の切断線に囲われた範囲が裂いて開かれ開口が形成される。
【００５１】
受信者は開口から封筒内に設けられた書類などを取り出す場合に簡単に開封できるだけでなく、開封する過程において封筒内の書類を損壊することがない。
【００５２】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００５３】
【図１】従来の封筒を示した平面図である。
【図２】この考案の封筒の表面を示した平面図である。
【図３】この考案の封筒の背面を示した平面図である。
【図４】この考案の封筒を展開した状態を示した平面図である。
【図５】この考案の封筒の他の実施形態を示した説明図である。
【符号の説明】
【００５４】
１             封筒
１１           表面
１２           切断線
１３           切断テープ
１３１         頭部
１４           補助切断線
３             封筒
４             袋体
４１、４２     表面
４３、４４     開口側辺
４５〜４７     側辺
４８           窓
５             蓋部
６１、６２     切断線
６２’         切断線
７１           中心部
７２〜７４     側部
【図１】
0003156950.tif 000003
【図２】
0003156950.tif 000004
【図３】
0003156950.tif 000005
【図４】
0003156950.tif 000006
【図５】
0003156950.tif 000007
【手続補正書】
【提出日】平成21年11月11日(2009.11.11)
【手続補正１】
【補正対象書類名】実用新案登録請求の範囲
【補正対象項目名】全文
【補正方法】変更
【補正の内容】
【実用新案登録請求の範囲】
【請求項１】
表面と、表面の端縁部に形成された開口側辺と、複数の開口側辺とを具えてなる多辺形で中空の袋体と、
該袋体に接続して設けられ、開口側辺を閉じるために供する蓋部とを含んでなり、該表面には切断線を有し、該切断線の両端が同一、或いは異なる側辺に接続し、該切断線を裂いて開くと、表面の切断線に囲まれた部分が裂いて開かれることを特徴とする封筒。
【請求項２】
前記切断線は、弧状を呈することを特徴とする請求項１に記載の封筒。
【請求項３】
前記切断線は、折り線であることを特徴とする請求項１に記載の封筒。
【請求項４】
前記袋体は、窓を有することを特徴とする請求項１から３のいずれか一項に記載の封筒。